(57)【要約】【課題】簡単な構成で水滴径の細かい霧状湯水を吹き出すことができる湯水散出装置を提供する。【解決手段】湯水散出装置１は、霧状の湯水を噴き出す複数のミストノズル３と、ミストノズル３から噴き出した霧状湯水を、回転駆動されるプロペラファン６の羽根６ａに衝突させて細霧化する軸流ファン部２を備え、プロペラファン６が回転駆動されることで発生する空気の流れに沿った軸方向から、細霧化した霧状温水を吹き出す。また、プロペラファン６の円周方向に拡散した霧状温水は、風路形成壁部７に形成した吹出風路連絡口１４に備えた目の細かい金網等の網状板部を通すことで細霧化して吹き出す。【選択図】        図１
2006292256.tif 000002
【特許請求の範囲】
【請求項１】
霧状の湯水を噴き出す噴出手段と、
駆動手段に回転駆動され、空気が軸方向から流入して軸方向に流出される羽根車を有し、前記噴出手段から噴き出した霧状湯水を、回転駆動される前記羽根車に衝突させて細霧化する拡散手段と、
前記羽根車が回転駆動されることで発生する空気の流れに沿った前記羽根車の軸方向に形成され、細霧化された霧状湯水を吹き出す吹出口と
を備えたことを特徴とする湯水散出装置。
【請求項２】
複数の前記噴出手段は、前記羽根車の回転軌跡に沿って環状に配置される
ことを特徴とする請求項１記載の湯水散出装置。
【請求項３】
前記羽根車の羽根の枚数と同じ個数の前記噴出手段が、前記羽根の間隔に応じた間隔で配置される
ことを特徴とする請求項１または２記載の湯水散出装置。
【請求項４】
前記羽根車の各羽根の端部は、軸方向には隙間が形成され、回転方向には重なり部を有する
ことを特徴とする請求項１，２または３記載の湯水散出装置。
【請求項５】
前記羽根車の周囲に筒状の風路形成壁部を備えると共に、前記羽根車の円周方向の側部の前記風路形成壁部に、通過する湯水を細霧化する網状部材を有する風路連絡開口部を備え、
前記風路連絡開口部と連通した吹出口を、前記羽根車の軸方向に備えた
ことを特徴とする請求項１，２，３または４記載の湯水散出装置。
【請求項６】
前記風路形成壁部の下部に、水を回収するドレン部材を備えた
ことを特徴とする請求項５記載の湯水散出装置。
【請求項７】
前記駆動手段による前記羽根車の回転駆動を開始してから所定時間経過後に、前記噴出手段からの霧状湯水の噴出を開始すると共に、前記噴出手段からの霧状湯水の噴出を停止してから所定時間経過後に、前記駆動手段による前記羽根車の回転駆動を停止する制御手段を備えた
ことを特徴とする請求項１，２，３，４，５または６記載の湯水散出装置。
【発明の詳細な説明】
【技術分野】
【０００１】
本発明は、湯または水の少なくとも何れかである湯水を霧状にして散出する湯水散出装置に関する。詳しくは、軸方向に空気の流れを発生する羽根車に霧状湯水を当てて更に細霧化することで、簡単な構成で水滴径の細かい霧状湯水を吹き出すことができるようにしたものである。
【背景技術】
【０００２】
従来より、霧状の温水を浴室内に噴出して、浴室の暖房を行うミストサウナ装置等と称される装置が提案されている。ミストサウナ装置は、給湯器から供給される温水をノズルで霧状にして噴出している。
【０００３】
ノズル単体で水滴径の細かい霧状温水を噴出するためには、ノズルの穴径を細くし、かつ、供給される温水の水圧が高いことが条件となる。しかし、マンションや深夜給湯の場合は、供給される水圧が低いため、穴径が小さいノズル単体では、十分な霧状温水を噴出できない。このため、加圧ポンプを設置して、供給される水圧を維持する技術が提案されている（例えば、特許文献１参照）。
【０００４】
【特許文献１】特公平６−９５９８号公報
【発明の開示】
【発明が解決しようとする課題】
【０００５】
しかし、ノズルの穴径を小さくすると、ゴミ等によるノズルの目詰まりが発生するという問題がある。また、加圧ポンプを設置するため、設置コストが高くなるという問題がある。
【０００６】
更に、回転駆動される遠心ファンに温水を供給し、遠心力で霧状温水を生成する技術も提案されているが、遠心力で飛ばした霧状温水を所望の方向に吹き出すための風路構造や、別のファンが必要で、コストが高くなるという問題がある。また、遠心力で飛ばした霧状温水が風路を構成する壁面等に付着してしまい、ミスト化率が低いという問題がある。
【０００７】
本発明は、このような課題を解決するためになされたもので、簡単な構成で水滴径の細かい霧状湯水を吹き出すことができる湯水散出装置を提供することを目的とする。
【課題を解決するための手段】
【０００８】
上述した課題を解決するため、請求項１に係る発明の湯水散出装置は、霧状の湯水を噴き出す噴出手段と、駆動手段に回転駆動され、空気が軸方向から流入して軸方向に流出される羽根車を有し、噴出手段から噴き出した霧状湯水を、回転駆動される羽根車に衝突させて細霧化する拡散手段と、羽根車が回転駆動されることで発生する空気の流れに沿った羽根車の軸方向に形成され、細霧化された霧状湯水を吹き出す吹出口とを備えたことを特徴とする。
【０００９】
請求項２に係る発明の湯水散出装置は、請求項１に記載された発明の湯水散出装置において、複数の噴出手段は、羽根車の回転軌跡に沿って環状に配置されることを特徴とする。
【００１０】
請求項３に係る発明の湯水散出装置は、請求項１または２に記載された発明の湯水散出装置において、羽根車の羽根の枚数と同じ個数の噴出手段が、羽根の間隔に応じた間隔で配置されることを特徴とする。
【００１１】
請求項４に係る発明の湯水散出装置は、請求項１，２または請求項３に記載された発明の湯水散出装置において、羽根車の各羽根の端部は、軸方向には隙間が形成され、回転方向には重なり部を有することを特徴とする。
【００１２】
請求項５に係る発明の湯水散出装置は、請求項１，２，３または請求項４に記載された発明の湯水散出装置において、羽根車の周囲に筒状の風路形成壁部を備えると共に、羽根車の円周方向の側部の風路形成壁部に、通過する湯水を細霧化する網状部材を有する風路連絡開口部を備え、風路連絡開口部と連通した吹出口を、羽根車の軸方向に備えたことを特徴とする。
【００１３】
請求項６に係る発明の湯水散出装置は、請求項５に記載された発明の湯水散出装置において、風路形成壁部の下部に、水を回収するドレン部材を備えたことを特徴とする。
【００１４】
請求項７に係る発明の湯水散出装置は、請求項１，２，３，４，５または請求項６に記載された発明の湯水散出装置において、駆動手段による羽根車の回転駆動を開始してから所定時間経過後に、噴出手段からの霧状湯水の噴出を開始すると共に、噴出手段からの霧状湯水の噴出を停止してから所定時間経過後に、駆動手段による羽根車の回転駆動を停止する制御手段を備えたことを特徴とする。
【発明の効果】
【００１５】
本発明の湯水散出装置によれば、噴出手段から噴出した霧状湯水を、回転駆動される羽根車に衝突させて細霧化することで、噴出手段から噴出される霧状湯水を、更に水滴径が細かい霧状湯水として吹き出すことができる。
【００１６】
これにより、噴出手段に供給される湯水の水圧が低く、噴出手段単体では水滴径の粗い霧状温水を噴出する構成でも、水滴径が細かい霧状湯水を吹き出すことができ、水圧を上げるための加圧ポンプの設置や、水滴径の細かい霧状湯水を噴出できる噴出手段が不要となり、製造コスト及び設置コストを低く抑えることができる。
【００１７】
また、霧状湯水を細霧化する羽根車の回転動作で発生する空気の流れに沿って霧状湯水を吹き出すので、単一の羽根車で効率良く霧状湯水を吹き出すことができ、ミスト化率の高い装置を低コストで提供できる。
【発明を実施するための最良の形態】
【００１８】
以下、図面を参照して本発明の湯水散出装置の実施の形態について説明する。
【００１９】
＜湯水散出装置の構成例＞
図１は本実施の形態の湯水散出装置の一例を示す構成図で、図１（ａ）は下面側から見た平面図、図１（ｂ）は図１（ａ）のＡ−Ａ線断面図である。また、図２は本実施の形態の湯水散出装置の一例を示す断面図で、図２（ａ）は図１（ａ）のＢ−Ｂ線断面図、図２（ｂ）は図１（ａ）のＣ−Ｃ線断面図である。
【００２０】
本実施の形態の湯水散出装置１は、霧状湯水を細霧化して吹き出す軸流ファン部２と、軸流ファン部２に霧状湯水を供給するミストノズル３と、軸流ファン部２による霧状湯水の吹き出しを行うための風路を形成する本体ケース４を備える。
【００２１】
軸流ファン部２は拡散手段の一例で、ファンモータ５と、ファンモータ５に回転駆動されるプロペラファン６を備える。ファンモータ５は駆動手段の一例で、軸５ａが縦向きに配置される。
【００２２】
プロペラファン６は羽根車の一例で、複数枚の羽根６ａが所定の取り付け角で取り付けられる。プロペラファン６は、本実施の形態では例えば４枚の羽根６ａを備え、隣接する各羽根６ａの端部が軸方向には所定の間隔を有し、回転方向には重なり部６ｂを有する形態である。これにより、プロペラファン６は、軸方向から見て各羽根６ａの間には隙間が形成されない形態である。
【００２３】
軸流ファン部２は、プロペラファン６がファンモータ５の軸５ａに取り付けられ、プロペラファン６がファンモータ５によって回転駆動されることで、霧状湯水を含む空気がプロペラファン６に対して軸方向から流入し、軸方向へ流出する。
【００２４】
ミストノズル３は噴出手段の一例で、温水または水等の供給を受け、霧状にして噴出する。ミストノズル３は、軸流ファン部２のプロペラファン６が回転駆動されることにより発生する空気の流れる方向に対して上流側で、プロペラファン６の羽根６ａの回転軌跡に沿った位置に配置され、プロペラファン６の羽根６ａに向けて霧状湯水を噴出する。
【００２５】
ミストノズル３は、本実施の形態では例えばプロペラファン６の羽根６ａの枚数と同じ個数が、プロペラファン６の羽根６ａの回転軌跡に沿って等間隔で配置される。これにより、ミストノズル３は、プロペラファン６の各羽根６ａの間隔と同間隔で円周上に並んで配置される。
【００２６】
本体ケース４は、例えば直方体形状の外形を有し、内部が円筒形状の風路形成壁部７で仕切られている。風路形成壁部７は、上端が本体ケース４の天井部分の下面と繋がる。また、風路形成壁部７は、外周面の一部が本体ケース４の対向する一方の２側面と繋がる。更に、風路形成壁部７は、外周面の一部が本体ケース４の対向する他方の２側面と２本ずつの仕切り壁部７ａを介して繋がる。これにより、風路形成壁部７は、本体ケース４の対向する一方の２側面と、４枚の仕切り壁部７ａによって外周面が支持される。
【００２７】
なお、仕切り壁部７ａの間にリブ７ｂを設けて、更に風路形成壁部７の外周面を支持する構成としても良い。
【００２８】
本体ケース４は、風路形成壁部７の内側に第１の吹出風路８を備えると共に、風路形成壁部７の外側に第２の吹出風路９と吸込風路１０を備える。第１の吹出風路８は、外周が風路形成壁部７で仕切られた円筒形状の空間として形成される。また、第２の吹出風路９は、風路形成壁部７の周囲で、例えば第１の吹出風路８を挟んで対向する２箇所に形成される。更に、吸込風路１０は、風路形成壁部７の周囲で、第２の吹出風路９と仕切り壁部７ａで仕切られた例えば４箇所に形成される。
【００２９】
本体ケース４は、第１の吹出風路８に軸流ファン部２が取り付けられる。すなわち、本体ケース４は、第１の吹出風路８の天井部分の上面に軸流ファン部２のファンモータ５が取り付けられる。ファンモータ５の軸５ａは、第１の吹出風路８の天井部分を貫通して垂直方向に突出し、軸５ａにプロペラファン６が取り付けられる。第１の吹出風路８は、プロペラファン６の直径より大きな直径を有しており、プロペラファン６は、第１の吹出風路８内で回転自在な構成である。
【００３０】
また、本体ケース４は、第１の吹出風路８の天井部分の下面で、ファンモータ５の軸５ａの周囲にノズル取付部１１を備え、ノズル取付部１１に上述した所定の配置でミストノズル３が取り付けられる。
【００３１】
なお、第１の吹出風路８側からファンモータ５側への漏水を防ぐため、プロペラファン６とノズル取付部１１の間の軸５ａに遮蔽羽根１２を備える。遮蔽羽根１２は、例えば下面が波形状となっている円板で、プロペラファン６と共に回転する。
【００３２】
遮蔽羽根１２は、ノズル取付部１１から突出するファンモータ５の軸５ａの根元の部分を覆うことで、プロペラファン６に当たって上方へと拡散した霧状湯水をはね返して、ファンモータ５側への漏水を防ぐ。また、遮蔽羽根１２の下面を波形状とすることで、霧状湯水を拡散して細霧化を促進する。
【００３３】
各吸込風路１０と第１の吹出風路８は、風路形成壁部７に形成された吸込風路連絡口１３を介して連通する。吸込風路連絡口１３は、プロペラファン６の取付位置より高い風路形成壁部７の上部を貫通して形成される。
【００３４】
ここで、吸込風路１０から吸込風路連絡口１３を通って第１の吹出風路８に空気が流れる際に、乱流が発生しないように、例えば吸込風路１０の上部を曲面で構成する。このため、例えば、本体ケース４の上部の４箇所の角部を、径の大きな曲面で構成しても良い。
【００３５】
また、第１の吹出風路８と第２の吹出風路９は、風路形成壁部７に形成された吹出風路連絡口１４を介して連通する。吹出風路連絡口１４は、プロペラファン６の取付位置と同等の高さ付近の風路形成壁部７を貫通して形成され、網状板部１４ａが取り付けられる。網状板部１４ａは、例えば目の細かい金網で構成され、吹出風路連絡口１４を通る霧状湯水を細霧化する。
【００３６】
本体ケース４は、第１の吹出風路８の下部が開口して第１の吹出口８ａが形成されると共に、各第２の吹出風路９の下部が開口して第２の吹出口９ａが形成される。更に、各吸込風路１０の下部が開口して吸込口１０ａが形成される。
【００３７】
これにより、各吸込口１０ａから各吸込風路１０を通り、吸込風路連絡口１３を介して第１の吹出風路８と繋がって第１の吹出口８ａへ至る風路が形成される。また、第１の吹出風路８から吹出風路連絡口１４を介して第２の吹出風路９と繋がって、第２の吹出口９ａへ至る風路が形成される。
【００３８】
本体ケース４は、風路形成壁部７の下部にドレン部材であるドレンパン１５を備える。ドレンパン１５は、風路形成壁部７の形状に合わせたリング形状で、風路形成壁部７の下端が入る溝を有して、風路形成壁部７の内周面及び外周面を伝わって落ちる水滴を受ける。
【００３９】
また、ドレンパン１５は、円周方向の１箇所にドレンホース口１５ａを備え、風路形成壁部７から受けた水をドレンホース口１５ａから排水できる構成である。このため、ドレンパン１５は、ドレンホース口１５ａ側が下がるように傾斜した状態となっている。なお、ドレンパン１５を風路形成壁部７等に対して着脱自在な構成として、清掃が行えるようにしても良い。
【００４０】
本体ケース４は、下部にフロントパネル１６を備える。本体ケース４は、フロントパネル１６を固定するフック部４ａ等を備え、フロントパネル１６が着脱自在に取り付けられる。
【００４１】
フロントパネル１６は、第１の吹出口８ａ及び第２の吹出口９ａと連通し、細霧化された霧状湯水を吹き出す吹出グリル１６ａを備える。また、フロントパネル１６は、吸込口１０ａと連通し、空気を吸い込む吸込グリル１６ｂを備える。
【００４２】
なお、例えば第２の吹出口９ａに補助ミストノズル１７を備え、運転開始段階等で、予備的に霧状湯水を吹き出すことができるようにしても良い。補助ミストノズル１７としては、例えば、一方の第２の吹出口９ａには、噴出する霧状湯水の水滴径が細かい補助ミストノズル１７ａを備え、他方の第２の吹出口９ａには、噴出する霧状湯水の水滴径が粗い補助ミストノズル１７ｂを備えて、水滴径の異なる霧状湯水を必要に応じて吹き出す構成としても良い。
【００４３】
＜本実施の形態の湯水散出装置の設置例＞
図３は本実施の形態の湯水散出装置１の設置例を示す浴室の概略断面図である。本実施の形態の湯水散出装置１は、浴室５１の天井に設置される。湯水散出装置１は、浴室５１の天井パネル５２に開けられた開口に本体ケース４をはめ込み、フロントパネル１６を天井パネル５２から露出させた形態で取り付けられる。
【００４４】
湯水散出装置１の取付位置としては、例えば、浴槽５３の上部とする。なお、図１に示す補助ミストノズル１７は、浴槽５３の隣りの洗い場５４方向に霧状湯水を吹き出すように、取り付ける向き等が設定されている。
【００４５】
湯水散出装置１は、給湯器５５と配管５６を介して接続され、給湯器５５から温水の供給を受ける。また、湯水散出装置１は、図示しない給水管と接続され、水（上水）の供給を受ける。なお、給湯器５５は、浴室５１及び図示しない建物全体に温水を供給するもので良い。
【００４６】
＜本実施の形態の湯水散出装置の制御系の構成例＞
図４は本実施の形態の湯水散出装置１の機能ブロック図である。湯水散出装置１は、ＣＰＵ等で構成される制御部２１を備え、制御部２１に、リモートコントロール装置２２と、図１等で説明したファンモータ５と、図３に示す給湯器５５等からの給水の有無を切り換える電磁弁２３を備える。
【００４７】
リモートコントロール装置２２は入浴者等の利用者の操作を受ける操作部で、例えば、図３に示す浴室５１に隣接した洗面脱衣所５７の壁面に取り付けられる。リモートコントロール装置２２と湯水散出装置１の本体は例えば電気配線によって有線で接続され、運転開始や運転停止等の操作に応じた信号が制御部２１に送られる。
【００４８】
制御部２１は制御手段の一例で、リモートコントロール装置２２の操作に応じてファンモータ５の駆動を行うと共に、電磁弁２３の開閉を行って、細霧化された霧状湯水の吹き出しを行う。
【００４９】
電磁弁２３は、例えば、ミストノズル３への給水の有無を切り換える第１の電磁弁２３ａと、補助ミストノズル１７ａへの給水の有無を切り換える第２の電磁弁２３ｂと、補助ミストノズル１７ｂへの給水の有無を切り換える第３の電磁弁２３ｃを備える。
【００５０】
また、各電磁弁は、図３に示す給湯器５５からの給水と、図示しない給水管からの給水の有無の切り換え及び混合を行える構成である。
【００５１】
＜本実施の形態の湯水散出装置の動作例＞
次に、各図を参照して本実施の形態の湯水散出装置１の動作の一例について説明する。
【００５２】
まず、図４等に示すリモートコントロール装置２２が操作され、湯水散出装置１の運転開始が指示されると、制御部２１は、軸流ファン部２のファンモータ５の回転駆動を開始する。ファンモータ５が回転駆動されると、プロペラファン６は、図１に矢印ａで示す方向に回転する。なお、本例では、プロペラファン６の径は一例として１５０ｍｍ、ファンモータ５の回転数は一例として３０００ｒｐｍに設定されている。
【００５３】
プロペラファン６が矢印ａ方向に回転すると、第１の吹出風路８と吸込風路連絡口１３によって連通した吸込風路１０から、フロントパネル１６の吸込グリル１６ｂを介して浴室５１内の空気が吸い込まれる。
【００５４】
フロントパネル１６の吸込グリル１６ｂから吸い込まれた空気は、吸込風路１０から吸込風路連絡口１３を通って第１の吹出風路８に吸い込まれ、第１の吹出風路８を通ってフロントパネル１６の吹出グリル１６ａから浴室５１内へと吹き出す。
【００５５】
制御部２１は、ファンモータ５の回転駆動を開始すると、同時に第２の電磁弁２３ｂ及び第３の電磁弁２３ｃを開いて、補助ミストノズル１７ａ及び補助ミストノズル１７ｂから霧状の温水を噴出する。
【００５６】
補助ミストノズル１７ａ及び補助ミストノズル１７ｂから霧状温水が噴出されると、軸流ファン部２で発生した空気の流れによって、フロントパネル１６の吹出グリル１６ａから霧状温水が浴室５１の洗い場５４の方向へ吹き出され、洗い場を暖める。
【００５７】
なお、補助ミストノズル１７ａ及び補助ミストノズル１７ｂから霧状温水を噴出する動作では、霧状温水を噴出する補助ミストノズル１７を選択的に切り換えても良い。
【００５８】
制御部２１は、ファンモータ５の回転駆動を開始して、所定時間が経過すると、第１の電磁弁２３ａを開いてミストノズル３から霧状の温水を噴出する。ここで、ファンモータ５の回転駆動を開始してから、ミストノズル３で霧状温水を噴出するまでの時間は、例えば、プロペラファン６の回転数が所定の回転数に達するまでの時間等を考慮して設定される。
【００５９】
また、制御部２１は、ミストノズル３で霧状温水の噴出を開始すると、第２の電磁弁２３ｂ及び第３の電磁弁２３ｃを閉じて、補助ミストノズル１７ａ，１７ｂからの霧状温水の噴出を停止する。なお、補助ミストノズル１７からの霧状温水の噴出を停止するタイミングは、ミストノズル３で霧状温水の噴出を開始してから、所定時間経過した後でも良い。また、補助ミストノズル１７ａ，１７ｂからの霧状温水の噴出を停止するタイミングは時間ではなく、図示しない検出手段で浴室５１内の温度や湿度を検出して、所定の温度と湿度に達した時点で停止するようにしても良い。
【００６０】
プロペラファン６が回転した状態で、ミストノズル３から霧状温水が噴出されると、ミストノズル３から噴出した霧状温水は、プロペラファン６の羽根６ａに衝突して拡散され、水滴径が更に細かくなって細霧化される。例えば、水滴径は３〜５ミクロン程度となる。
【００６１】
プロペラファン６の羽根６ａに衝突して細霧化された霧状温水は、プロペラファン６が回転することで発生した空気の流れによって、プロペラファン６の軸方向に形成された第１の吹出口８ａから、フロントパネル１６の吹出グリル１６ａを介して浴室５１内に吹き出される。
【００６２】
これにより、フロントパネル１６の吹出グリル１６ａからは、浴室５１の温度に応じた空気に、給湯器５５から供給される湯の温度に応じた霧状温水が混合されて吹き出されることで、浴室５１は加湿されながら暖められる。
【００６３】
また、プロペラファン６の羽根６ａに衝突し、放射方向に拡散した霧状温水は、プロペラファン６の取付位置に合わせて風路形成壁部７の外周の一部に形成された吹出風路連絡口１４から第２の吹出風路９に入る。吹出風路連絡口１４は、目の細かい金網で構成された網状板部１４ａを備えているので、吹出風路連絡口１４の網状板部１４ａを通る霧状温水は、水滴径が更に細かくなって細霧化される。そして、吹出風路連絡口１４の網状板部１４ａを通って細霧化された霧状温水は、第２の吹出口９ａからフロントパネル１６の吹出グリル１６ａを介して浴室５１内に吹き出される。
【００６４】
なお、プロペラファン６の羽根６ａに衝突し、放射方向に拡散した霧状温水の一部は、風路形成壁部７の内周面に付着して、風路形成壁部７の内周面を伝わって落下する。また、吹出風路連絡口１４を通った霧状温水の一部は、風路形成壁部７の外周面に付着して、風路形成壁部７の外周面を伝わって落下する。
【００６５】
風路形成壁部７の下部には、ドレンパン１５を備えており、風路形成壁部７の内周面及び外周面を伝って落ちる水滴をドレンパン１５で回収し、ドレンホース口１５ａから排水する。なお、ドレンホース口１５ａは、図示しないホースを介して建物外等に繋がっており、ドレンパン１５で回収した水は例えば建物外に排水される。
【００６６】
ここで、風路形成壁部７には、プロペラファン６の羽根６ａに衝突して放射方向に拡散した霧状温水が強く当たる。本例では、風路形成壁部７は、本体ケース４の対向する一方の２側面と、４枚の仕切り壁部７ａによって外周面が支持される。これにより、水圧による風路形成壁部７の変形を防ぐと共に、衝突音を低く抑える。
【００６７】
また、プロペラファン６に衝突して上方へと拡散した霧状温水は、遮蔽羽根１２ではね返されることで、ファンモータ５側への漏水を防ぐ。また、遮蔽羽根１２の下面を波形状とすることで、プロペラファン６と共に回転駆動される遮蔽羽根１２に霧状温水が衝突する際に拡散され、細霧化が促進される。
【００６８】
湯水散出装置１の運転を停止するため、リモートコントロール装置２２が操作されて運転停止が指示されると、制御部２１は、第１の電磁弁２３ａを閉じて、ミストノズル３からの霧状温水の噴出を停止する。また、制御部２１は、ミストノズル３からの霧状温水の噴出を停止して所定時間が経過すると、ファンモータ５の回転を停止する。
【００６９】
ここで、ミストノズル３からの霧状温水の噴出を停止してから、ファンモータ５の回転駆動を停止するまでの時間は、例えば、プロペラファン６等に付着した水滴が飛ばされて乾燥するまでの時間等を考慮して設定される。これにより、湯水散出装置１の運転停止後に、フロントパネル１６の吹出グリル１６ａから、水滴が落下することを防ぐ。
【００７０】
なお、運転を停止するためにミストノズル３からの霧状温水の噴出を停止するタイミングは、利用者の操作によらず、運転開始後に所定時間が経過した時点で噴出を停止しても良い。また、時間ではなく、図示しない検出手段で浴室５１内の温度や湿度を検出して、所定の温度と湿度に達した時点で停止するようにしても良い。
【００７１】
＜本実施の形態の湯水散出装置の効果＞
本実施の形態の湯水散出装置１では、ミストノズル３から噴出した霧状温水を、回転駆動されるプロペラファン６の羽根６ａに衝突させて細霧化することで、ミストノズル３から噴出される霧状温水が水滴径の粗い霧状温水であっても、水滴径が細かい霧状温水として吹き出すことができる。
【００７２】
ミストノズルだけで水滴径の細かい霧状温水を噴出するためには、ノズルの穴径を細くし、かつ、供給される温水の水圧が高いことが条件となる。しかし、ノズルの穴径を小さくすると、ゴミ詰りの問題が生じやすい。また、マンションや深夜給湯の場合は、供給される水圧が低いため、穴径が小さいノズル単体では、十分な霧状温水を噴出できない。このために加圧ポンプを設置すると、加圧ポンプの設置等に伴うコストがかかる。
【００７３】
これに対して、本実施の形態の湯水散出装置１では、ミストノズル３の穴径を小さくする必要がないので、水圧が低い場合でも加圧ポンプを設置することなく対応でき、低コストで設置が可能である。また、ミストノズル３の目詰まりの発生を抑えることができる。
【００７４】
また、本実施の形態の湯水散出装置１では、ミストノズル３から噴出した霧状温水を、回転駆動されるプロペラファン６の羽根６ａに衝突させて細霧化すると共に、プロペラファン６で発生する空気の流れに沿った軸方向を開口して形成した第１の吹出口８ａから細霧化された霧状温水を吹き出している。これにより、単一のファンで霧状温水の細霧化と細霧化した霧状温水の吹き出しを行うことができ、小型且つ低コストの装置を実現できる。
【００７５】
更に、プロペラファン６で発生する空気の流れに沿った軸方向を開口して形成した第１の吹出口８ａから細霧化された霧状温水を吹き出すことで、風路形成壁部７に衝突する霧状温水を減らすことができる。
【００７６】
また、プロペラファン６は、軸方向から見て各羽根６ａの間には隙間が形成されない形態であるので、ミストノズル３から噴出した霧状温水を、常時羽根６ａに衝突させることができる。
【００７７】
更に、プロペラファン６の羽根６ａに衝突して放射方向に拡散した霧状温水は、プロペラファン６の取付位置に合わせて風路形成壁部７の外周の一部に形成された吹出風路連絡口１４の網状板部１４ａを通すことで細霧化して吹き出すので、風路形成壁部７に付着してドレンパン１５で回収される水の量を減らすことができる。
【００７８】
これにより、ミスト化されずに排水される水の量が少なくなって、供給された温水の量に対する細ミスト化率を向上させることができ、水の消費量を抑えることができる。
【００７９】
また、本実施の形態の湯水散出装置１では、プロペラファン６に霧状温水を供給するミストノズル３を複数個備えているので、仮に１つのノズルが目詰まりしても、継続して使用が可能である。
【００８０】
更に、個々のミストノズル３からの噴出量を抑えることができるので、霧状温水がプロペラファン６の羽根６ａに衝突する際に発生する騒音を抑えることができる。また、ミストノズル３の数を更に増やせば、全体としての噴出量を向上させることができる。あるいは、全体としての噴出量を一定とした場合は、個々のミストノズル３からの噴出量を更に抑えることができるので、霧状温水がプロペラファン６の羽根６ａに衝突する際の騒音を更に抑えることができる。
【００８１】
また、本実施の形態の湯水散出装置１では、プロペラファン６の羽根６ａの枚数と同じ個数のミストノズル３が、プロペラファン６の羽根６ａの回転軌跡に沿って等間隔で配置されることで、ミストノズル３は、プロペラファン６の各羽根６ａの間隔と同間隔で円周上に並んで配置される。これにより、回転駆動されるプロペラファン６に対して、円周方向に略均等に水圧がかかるので、ファンモータ５の軸５ａのブレを防いで、騒音の発生を抑えることができる。
【００８２】
なお、ミストノズル３の個数は、プロペラファン６の羽根６ａの枚数と同じでなくても良く、例えば、ファンモータ５の軸５ａを中心に対称な位置に配置すれば、軸５ａのブレを防ぐことができる。
【００８３】
＜本実施の形態の湯水散出装置の変形例＞
以上の説明では、浴室５１の暖房を行うために、ミストノズル３には温水が供給される例を説明したが、例えば夏季等に浴室５１の温度を下げる目的等で、ミストノズル３に水を供給しても良い。
【００８４】
また、ミストノズル３の噴出口に、目の細かい金属やプラスチック等の網からなる網状部材を備えることで、プロペラファン６に供給される前の霧状温水（水）を細霧化して、プロペラファン６での更なる細霧化が可能となる。
【００８５】
また、図３では、湯水散出装置１を浴室５１の天井に設置する例を説明したが、浴室５１の壁面に設置しても良い。更に、湯水散出装置１の設置場所としては、浴室５１に限らず、専用のサウナ室等でも良い。
【産業上の利用可能性】
【００８６】
本発明は、浴室の暖房を行うミストサウナ装置に適用される。
【図面の簡単な説明】
【００８７】
【図１】本実施の形態の湯水散出装置の一例を示す構成図である。
【図２】本実施の形態の湯水散出装置の一例を示す断面図である。
【図３】本実施の形態の湯水散出装置の設置例を示す浴室の概略断面図である。
【図４】本実施の形態の湯水散出装置の機能ブロック図である。
【符号の説明】
【００８８】
１・・・湯水散出装置、２・・・軸流ファン部、３・・・ミストノズル、４・・・本体ケース、５・・・ファンモータ、５ａ・・・軸、６・・・プロペラファン、６ａ・・・羽根、６ｂ・・・重なり部、７・・・風路形成壁部、７ａ・・・仕切り壁部、７ｂ・・・リブ、８・・・第１の吹出風路、８ａ・・・第１の吹出口、９・・・第２の吹出風路、９ａ・・・第２の吹出口、１０・・・吸込風路、１０ａ・・・吸込口、１１・・・ノズル取付部、１２・・・遮蔽羽根、１３・・・吸込風路連絡口、１４・・・吹出風路連絡口、１４ａ・・・網状板部、１５・・・ドレンパン、１５ａ・・・ドレンホース口、１６・・・フロントパネル、１６ａ・・・吹出グリル、１６ｂ・・・吸込グリル、１７・・・補助ミストノズル、２１・・・制御部、２２・・・リモートコントロール装置、２３・・・電磁弁、５１・・・浴室、５２・・・天井パネル、５３・・・浴槽、５４・・・洗い場、５５・・・給湯器、５６・・・配管、５７・・・洗面脱衣所
【図１】
2006292256.tif 000003
【図２】
2006292256.tif 000004
【図３】
2006292256.tif 000005
【図４】
2006292256.tif 000006